(57)【特許請求の範囲】
【請求項１】
複数画面用の入力映像信号に誤差拡散処理を行い、表示装置で複数の擬似中間調画面を表示せしめる誤差拡散回路において、前記入力映像信号に過去に生じた誤差成分を組み入れて拡散出力信号を得る加算部と、この加算部で得られた拡散出力信号から誤差成分を検出する誤差成分検出部と、複数の擬似中間調画面の各画面を切り換えるための画面切換信号を検出する画面切換検出部と、この画面切換検出部の画面切換信号が有るときには前記誤差成分検出部で検出した誤差成分に無関係な一定値を出力し、画面切換信号が無いときには前記誤差成分検出部で検出した誤差成分を出力する誤差成分制御部と、この誤差成分制御部の出力信号を遅延させ過去に生じた誤差成分として前記加算部へ出力する遅延部とを具備してなることを特徴とする複数画面表示装置の誤差拡散回路。
【請求項２】
複数画面用の入力映像信号に擬似中間調処理を行う中間調表示回路を複数具備し、前記複数の中間調表示回路の出力側に選択回路を結合し、前記入力映像信号のそれぞれに前記複数の中間調表示回路のいずれを使用するかを選択する処理選択信号を前記選択回路に供給することによって、前記選択回路の出力側から複数の擬似中間調画面を表示するための映像信号を得るようにした複数画面表示装置において、前記複数の中間調表示回路は誤差拡散回路を含み、前記処理選択信号は前記入力映像信号のうちの２以上の入力映像信号に前記誤差拡散回路の使用を選択する処理選択信号を含み、前記誤差拡散回路は、前記入力映像信号に過去に生じた誤差成分を組み入れて拡散出力信号を得る加算部と、この加算部で得られた拡散出力信号から誤差成分を検出する誤差成分検出部と、前記誤差拡散回路使用選択用の処理選択信号の切り換えを検出する処理選択検出部と、この処理選択検出部の検出出力が有るときには前記誤差成分検出部の誤差成分に無関係な一定値を出力し、検出出力が無いときには前記誤差成分検出部の誤差成分を出力する誤差成分制御部と、この誤差成分制御部の出力信号を遅延して前記加算部へ出力する遅延部とを具備してなることを特徴とする複数画面表示装置の誤差拡散回路。
【請求項３】
加算部は垂直方向加算部と水平方向加算部からなり、遅延部は、誤差成分制御部の出力信号をｍ（ｍは正の整数）ライン分遅延させるｍライン遅延部と、前記誤差成分制御部の出力信号をｎ（ｎは正の整数）ドット分遅延させるｎドット遅延部とからなり、前記ｍライン遅延部の出力に係数Ｋ１（１以下の定数）を掛けて前記垂直方向加算部へ出力する第１係数器と、前記ｎドット遅延部の出力に係数Ｋ２（Ｋ１＋Ｋ２＝１）を掛けて前記水平方向加算部へ出力する第２係数器とを具備してなる請求項１又は２記載の複数画面表示装置の誤差拡散回路。
【発明の詳細な説明】
【０００１】
【発明の属する技術分野】
本発明は、ＰＤＰ（プラズマディスプレイパネル）やＬＣＤ（液晶ディスプレイパネル）のような非線形な階調特性をもつディジタルディスプレイ装置（表示装置）において、誤差拡散法による擬似中間調画面を複数表示するための誤差拡散回路に関するものである。
【０００２】
【従来の技術】
最近、薄型、軽量の表示装置として、ＰＤＰが注目されている。このＰＤＰの駆動方式は、従来のＣＲＴ駆動方式とは全く異なっており、ディジタル化された映像入力信号による直接駆動方式である。したがって、パネル面から発光される輝度階調は、扱う信号のビット数によって定まる。
【０００３】
ＰＤＰは基本的特性のことなるＡＣ型とＤＣ型の２方式に分けられる。
ＡＣ型ＰＤＰでは、階調表示に関し試作レベルで最大６４階調表示までの報告しかなかったが、アドレス・表示分離型駆動法（ＡＤＳサブフィールド法）による将来の２５６階調の手法が提案されている。
【０００４】
ＡＤＳサブフィールド法における１フレーム（又は１フィールド）は、輝度の相対比が、たとえば１、２、４、８、１６、３２、６４、１２８の８個のサブフィールドで構成され、８画面の輝度の組み合わせで２５６階調の表示を行う。それぞれのサブフィールドは、リフレッシュした１画面分のデータの書込みを行うアドレス期間とそのサブフィールドの輝度レベルを決めるサスティン期間で構成される。アドレス期間では、最初全画面同時に各ピクセルに初期的に壁電荷が形成され、その後サスティンパルスが全画面に与えられ表示を行う。サブフィールドの明るさはサスティンパルスの数に比例し、所定の輝度に設定される。このようにして２５６階調表示が実現される。
【０００５】
以上のようなＡＣ駆動方式では、階調数を増やせば増やすほど、１フレーム期間内でパネルを点灯発光させる準備期間としてのアドレス期間のビット数が増加するため、発光期間としてのサスティン期間が相対的に短くなり、最大輝度が低下する。
【０００６】
このように、パネル面から発光される輝度階調は、扱う信号のビット数によって定まるため、扱う信号のビット数を増やせば、画質は向上するが、発光輝度が低下し、逆に扱う信号のビット数を減らせば、発光輝度が増加するが、階調表示が少なくなり、画質の低下を招く。
【０００７】
上述のような問題を解決するため、誤差拡散処理をするための回路が用いられている。この誤差拡散処理は、擬似中間調を表現する処理であり、少ない階調で濃淡を表現するために用いられるものである。このような誤差拡散処理を複数画面表示装置に利用する回路は、従来、図８又は図１０に示すように構成されていた。
【０００８】
図８では、画面Ａ（例えば動画）用の映像信号ａと画面Ｂ（例えば静止画）用の映像信号ｂとを合成回路１０で合成し、この合成信号を入力端子１２を介して誤差拡散回路１４へ入力する。この誤差拡散回路１４では、垂直方向加算部１６及び水平方向加算部１８によって、入力端子１２に入力した合成信号に過去に生じた再現誤差を組入れ拡散出力信号を得て出力端子２０に導き、誤差成分検出部２２によって拡散出力信号から誤差成分を検出し、この検出した誤差成分をｍライン遅延部２４及び第１係数器（１より小さい係数Ｋ１（例えば１／２）を掛ける係数器）２６を介して垂直方向加算部１６に出力するとともに、この検出した誤差成分をｎドット遅延部２８及び第２係数器（１より小さい係数Ｋ２（例えば１／２）を掛ける係数器）３０を介して水平方向加算部１８に出力することによって、過去に生じた再現誤差を組み入れる。
【０００９】
出力端子２０から出力する拡散出力信号は、ビット数を減らす処理を行うビット変換回路（図示省略）を介してＰＤＰに供給される。このため、入力端子にｐ（例えば８）ビットの２画面用（画面Ａ、Ｂ用）の合成映像信号が入力すると、誤差拡散回路１４が誤差拡散処理を行い、ビット変換回路（図示省略）がビット数をｑ（例えば４）ビットに減らす処理をし、ＰＤＰが図９に示すような１画面の中に画面Ａと画面Ｂの２画面を表示する。
【００１０】
しかしながら、誤差拡散回路１４で複数画面用の映像信号（例えばａ、ｂ）の誤差拡散処理を行い、擬似中間調表示による画面を複数表示した場合、ある画面の誤差成分が他の画面の誤差成分に悪影響を与えて画質が低下してしまうという問題点があった。例えば、図８の誤差拡散回路１４では、誤差拡散処理で擬似中間調表示された画面Ａと画面Ｂにおいて、図９に示すように、画面Ａの誤差成分が画面Ｂに伝搬し、静止しているはずの画面Ｂの映像がちらついて見えるという問題点があった。
【００１１】
また、図１０では、画面Ａ、Ｂ、Ｃ、Ｄ用の映像信号ａ、ｂ、ｃ、ｄを合成回路１０ａで合成し、この合成回路１０ａの出力側に、入力映像信号に対して擬似中間調処理を行わずにそのまま通すスルー回路３２と、入力映像信号に対して組織的ディザ法による擬似中間調処理を行う中間調表示回路３４と、入力映像信号に対して誤差拡散法による擬似中間調処理を行う誤差拡散回路１４ａとを結合し、これらの回路３２、３４、１４ａの出力側は選択回路３６を介して表示装置としてのＰＤＰ（図示省略）に結合されている。
【００１２】
誤差拡散回路１４ａは、図８の誤差拡散回路１４と同様に構成され、同様の作用を行う。また、選択回路３６は、供給される処理選択信号によってどの中間調表示回路を使用するかを選択する。例えば、処理選択信号は、スルー回路３２、中間調表示回路３４、誤差拡散回路１４ａの使用を選択するための２ビットの信号「００」、「０１」、「１０」で構成され、選択回路３６は、これらの処理選択信号「１０」、「０１」、「００」に基づいて、映像信号ａ及びｂ、ｃ、ｄのそれぞれに誤差拡散回路１４ａ、中間調表示回路３４、スルー回路３２のどれを使用するかを選択する。
【００１３】
例えば、入力映像信号ａ、ｂに対しては誤差拡散回路１４ａの使用が、入力映像信号ｃに対しては中間調表示回路３４の使用が、入力映像信号ｄに対してはスルー回路３２の使用がそれぞれ選択される。このため、ＰＤＰは、図１１に示すように、誤差拡散法により擬似中間調表示された画面Ａ（例えば動画）及び画面Ｂ（例えば静止画）と、組織的ディザ法により擬似中間調表示された画面Ｃと、擬似中間調処理の行われない画面Ｄとの４画面を表示する。
【００１４】
しかしながら、図８の場合と同様に、ある画面の誤差成分が他の画面の誤差成分に悪影響を与えて画質が低下してしまうという問題点があった。例えば、図１０の誤差拡散回路１４ａでは、誤差拡散法により擬似中間調表示された画面Ａと画面Ｂにおいて、図１１に示すように、画面Ａの誤差成分が画面Ｂに伝搬し、静止しているはずの画面Ｂの映像がちらついて見えるという問題点があった。
【００１５】
本発明は、上述のような問題点に鑑みてなされたもので、複数画面表示用の映像信号に誤差拡散処理を行って擬似中間調画面の複数を表示する複数画面表示装置において、お互いの誤差成分の影響を受けず複数の擬似中間調画面を表示できるようにすることを目的とするものである。
【００１６】
【課題を解決するための手段】
請求項１に係る発明は、複数画面用の入力映像信号に誤差拡散処理を行い、表示装置で複数の擬似中間調画面を表示せしめる誤差拡散回路において、入力映像信号に過去に生じた誤差成分を組み入れて拡散出力信号を得る加算部と、この加算部で得られた拡散出力信号から誤差成分を検出する誤差成分検出部と、複数の擬似中間調画面の各画面を切り換えるための画面切換信号を検出する画面切換検出部と、この画面切換検出部の画面切換信号が有るときには前記誤差成分検出部で検出した誤差成分に無関係な一定値を出力し、画面切換信号が無いときには前記誤差成分検出部で検出した誤差成分を出力する誤差成分制御部と、この誤差成分制御部の出力信号を遅延させ過去に生じた誤差成分として加算部へ出力する遅延部とを具備してなることを特徴とするものである。
【００１７】
加算部は、入力映像信号に過去に生じた誤差成分を組み入れて拡散出力信号を出力し、誤差成分検出部は、拡散出力信号から誤差成分を検出し、画面切換検出部は複数の擬似中間調画面の各画面を切り換えるための画面切換信号を検出する。この画面切換検出部の画面切換信号が有るときには、誤差成分制御部は誤差成分検出部で検出した誤差成分に無関係な一定値（例えば、「０」）を出力し、画面切換検出部の画面切換信号が無いときには、誤差成分制御部は誤差成分検出部で検出した誤差成分を出力する。遅延部は誤差成分制御部の出力信号を遅延させ過去に生じた誤差成分として加算部へ出力する。
【００１８】
このため、拡散出力信号を表示装置（例えばＰＤＰ）へ出力することによって複数の誤差拡散処理による擬似中間調画面を表示した場合、各画面間の境界では入力映像信号に組み入れられる誤差成分が一定値（例えば「０」）となり、ある画面の誤差拡散処理で発生した誤差成分の影響が、他の画面に伝搬することがない。また、各画面間の境界以外の領域では、入力映像信号に組み入れられる誤差成分が誤差成分検出部で検出した誤差成分となって誤差拡散処理が行われる。
したがって、複数画面表示装置で表示された複数画面のそれぞれは、お互いの誤差成分の影響を受けずに誤差拡散方法による擬似中間調表示ができ、画質の向上を図ることができる。
【００１９】
また、画面切換検出部で検出する画面切換信号は、例えば、複数種類（例えば複数チャンネル）の入力映像信号を合成して複数画面用の入力映像信号を作成する合成回路から容易に抜き出すことができるため、画面切換の行われた箇所を容易に検出できる。
【００２０】
請求項２の誤差拡散回路に係る発明は、複数画面用の入力映像信号に擬似中間調処理を行う中間調表示回路を複数具備し、複数の中間調表示回路の出力側に選択回路を結合し、入力映像信号のそれぞれに複数の中間調表示回路のいずれを使用するかを選択する処理選択信号を選択回路に供給することによって、選択回路の出力側から複数の擬似中間調画面を表示するための映像信号を得るようにした複数画面表示装置において、複数の中間調表示回路は誤差拡散回路を含み、処理選択信号は入力映像信号のうちの２以上の入力映像信号に前記誤差拡散回路の使用を選択する処理選択信号を含み、誤差拡散回路は、入力映像信号に過去に生じた誤差成分を組み入れて拡散出力信号を得る加算部と、この加算部で得られた拡散出力信号から誤差成分を検出する誤差成分検出部と、誤差拡散回路使用選択用の処理選択信号の切り換えを検出する処理選択検出部と、この処理選択検出部の検出出力が有るときには誤差成分検出部の誤差成分に無関係な一定値を出力し、検出出力が無いときには誤差成分検出部の誤差成分を出力する誤差成分制御部と、この誤差成分制御部の出力信号を遅延して加算部へ出力する遅延部とを具備してなることを特徴とする。
【００２１】
このため、拡散出力信号を複数画面表示装置（例えばＰＤＰ）へ出力することによって誤差拡散処理による複数の擬似中間調画面を表示した場合、各画面間の境界では入力映像信号に組み入れられる誤差成分が一定値（例えば「０」）となり、ある画面の誤差拡散処理で発生した誤差成分が境界を介して他の画面に伝搬することがない。また、各画面間の境界以外の領域では、入力映像信号に組み入れられる誤差成分が誤差成分検出部で検出した誤差成分となって誤差拡散処理が行われる。
したがって、複数画面表示装置で表示された複数画面のそれぞれは、お互いの誤差成分の影響を受けずに誤差拡散法による擬似中間調表示ができ、画質の向上を図ることができる。
【００２２】
請求項３に係る発明は、請求項１又は２の発明において、出力対象画素にその周辺画素の多値化誤差を加重して加え、入力映像信号と発光輝度の濃淡誤差をより少なくするために、加算部を垂直方向加算部と水平方向加算部で構成し、遅延部を、誤差成分制御部の出力信号をｍ（ｍは正の整数）ライン分遅延させるｍライン遅延部と、誤差成分制御部の出力信号をｎ（ｎは正の整数）ドット分遅延させるｎドット遅延部とで構成し、ｍライン遅延部の出力に係数Ｋ１（１以下の定数）を掛けて垂直方向加算部へ出力する第１係数器と、ｎドット遅延部の出力に係数Ｋ２（Ｋ１＋Ｋ２＝１）を掛けて水平方向加算部へ出力する第２係数器とを具備してなるものである。
【００２３】
【発明の実施の形態】
図１は本発明の第１の実施形態例を示すもので、この図において図８と同一部分は同一符号とする。
図１において、１０は画面Ａ（例えば動画）用の映像信号ａと画面Ｂ（例えば静止画）用の映像信号ｂを合成する合成回路である。
【００２４】
４０は誤差拡散回路で、この誤差拡散回路４０の入力端子１２には、前記合成回路１０で合成された合成映像信号が入力している。前記入力端子１２には、垂直方向加算部１６、水平方向加算部１８が順次結合し、この水平方向加算部１８の出力側には、出力端子２０が結合されていると共に、誤差成分検出部２２が結合されている。前記誤差成分検出部２２の出力側には誤差成分制御部４２が結合され、この誤差成分制御部４２の出力側には、ｍライン遅延部２４、第１係数器２６が順次結合されるとともに、ｎドット遅延部２８、第２係数器３０が順次結合され、前記第１、第２係数器２６、２８の出力側には前記垂直方向加算部１６、水平方向加算部１８か結合されている。
【００２５】
４４は、画面Ａと画面Ｂを切り換えるための画面切換信号を検出する画面切換検出部で、この画面切換検出部４４で検出された検出信号は、制御信号として前記誤差成分制御部４２に供給されている。前記誤差成分制御部４２は、前記画面切換検出部４４の検出信号が有るときには、前記誤差成分検出部２２で検出された誤差成分に無関係な一定値「０」を出力し、前記画面切換検出部４４の検出信号が無いときには、前記誤差成分検出部２２で検出された誤差成分を出力するように構成されている。
【００２６】
つぎに、図１の実施形態例の作用を図２及び図３を併用して説明する。
画面Ａ用の映像信号ａと画面Ｂ用の映像信号ｂとは合成回路１０で合成され、この合成信号は入力端子１２を介して誤差拡散回路４０へ入力する。誤差拡散回路４０は、垂直方向加算部１６及び水平方向加算部１８によって、入力端子１２に入力した合成信号に過去に生じた誤差成分を組み入れて出力端子２０から映像信号を出力し、この映像信号がビット変換回路（ビット数を減らす処理をする回路、図示省略）を介してＰＤＰへ出力することによって、このＰＤＰは図３に示すような１画面の中に画面Ａと画面Ｂの２画面を表示する。
【００２７】
誤差成分検出部２２は、水平方向加算部１８の出力側に得られた拡散出力信号から誤差成分を検出し、誤差成分制御部４２へ出力する。
画面切換検出部４４は、入力した図２（ａ）に示すような画面切換信号を微分することによって画面の切り換えを検出し、同図（ｂ）に示すような画面切換検出信号を制御信号として誤差成分制御部４２に出力する。
このため、誤差成分制御部４２は、画面切換検出信号の入力が有るとき（パルス信号が有るとき）には、誤差成分検出部２２から出力する誤差成分に関係ない「０」を誤差成分として出力し、画面切換検出信号の入力が無いとき（パルス信号が無いとき）には、誤差成分検出部２２から出力する誤差成分をそのまま出力する。
【００２８】
誤差成分制御部４２から出力する誤差成分は、ｍライン遅延部２４によってｍライン分遅延し、第１係数器２６で係数Ｋ１（例えば１／２）倍して垂直方向加算部１６に入力し、ｎドット遅延部２８によってｎドット分遅延し、第２係数器３０で係数Ｋ２（例えば１／２）倍して水平方向加算部１８に入力し、もって過去に生じた誤差成分が組み入れられる。
【００２９】
上述のように、画面切換検出部４４で画面Ａと画面Ｂを切り換えるための画面切換信号を検出し、この検出信号が無いときには誤差成分検出部２２で検出した誤差成分を遅延部２４、２８及び係数器２６、３０を介して加算部１６、１８へ出力し、検出信号が有るときには誤差成分検出部２２から遅延部２４、２８及び係数器２６、３０を介して加算部１６、１８へ出力する誤差成分を「０」としたので、図３に示すように画面Ａと画面Ｂの境界の領域（イ）で誤差成分が「０」となり、画面Ａ、Ｂの誤差拡散処理による誤差成分が他方の画面Ｂ、Ａに伝搬するのを防止できる。
【００３０】
前記実施形態例では、２つの画面Ａ、Ｂ用の映像信号ａ、ｂの合成信号を入力とし、ＰＤＰの同一画面に２画面を表示する場合について説明したが、本発明はこれに限るものでなく、複数画面用の映像信号を入力とし、ＰＤＰの同一画面に複数画面を表示する場合について利用することができる。例えば図４及び図５に示すように、３つの画面Ａ、Ｂ、Ｃ用の映像信号ａ、ｂ、ｃを合成回路１０ａで合成し、この合成信号を誤差拡散回路４０で誤差拡散処理することによって擬似中間調表示用の映像信号を得てＰＤＰへ出力すると共に、画面切換信号の検出信号が有るときに誤差成分検出部２２から加算部１６、１８側へ出力する誤差成分を「０」とする。このため、３つの画面Ａ、Ｂ、Ｃの境界の領域（ロ）（ハ）（ニ）で誤差成分を「０」とし、画面Ａ、Ｂ、Ｃの誤差拡散処理による誤差成分が他の画面に伝搬するのを防止できる。
【００３１】
前記実施形態例では、誤差成分制御部は、画面切換検出部の検出信号が有るときに、誤差成分検出部で検出した誤差成分の値に関係の無い「０」を誤差成分とし、この「０」を遅延部を介して加算部へ出力するようにしたが、本発明はこれに限るものでなく、画面切換検出部の検出信号が有るときに、誤差成分検出部で検出した誤差成分に無関係な一定値（例えば「１」又は「２」）を遅延部を介して加算部へ出力するものであればよい。
【００３２】
前記実施形態例では、複数の擬似中間調画面の各画面を切り換えるための画面切換信号を検出する画面切換検出部を設け、この画面切換検出部の検出信号が有るときに誤差成分検出部で検出した誤差成分に無関係な一定値を遅延部を介して加算部へ出力するようにしたが、本発明はこれに限るものでなく、複数の擬似中間調画面の各画面間の境界に対応した信号を検出する画面境界検出部を設け、この画面境界検出部の検出信号が有るときに誤差成分検出部で検出した誤差成分に無関係な一定値を遅延部を介して加算部へ出力するものであればよい。
【００３３】
図６は本発明の第２の実施形態例を示すもので、この図において図１０と同一部分は同一符号とする。
図６において、１０ａは画面Ａ、Ｂ、Ｃ、Ｄ用の映像信号ａ、ｂ、ｃ、ｄを合成するための合成回路で、この合成回路１０ａの出力側には、擬似中間調処理を行わずにそのまま通すスルー回路３２と、組織的ディザ法による擬似中間調処理を行う中間調表示回路３４と、誤差拡散法による擬似中間調処理を行う誤差拡散回路４０ａとが結合されている。前記回路３２、３４、４０ａの出力側には、処理選択信号で制御される選択回路３６を介して複数画面表示装置としてのＰＤＰ（図示省略）が結合されている。前記選択回路３６は、供給される２ビットの処理選択信号「１０」、「１１」、「０１」、「００」に基づいて、入力映像信号ａ、ｂ、ｃ、ｄのそれぞれに対して回路４０ａ、４０ａ、３４、３２の使用を選択するように構成されている。
【００３４】
前記誤差拡散回路４０ａはつぎのように構成されている。１２は入力端子で、この入力端子１２には、垂直方向加算部１６、水平方向加算部１８が順次結合し、この水平方向加算部１８の出力側には、出力端子２０が結合されていると共に、誤差成分検出部２２が結合されている。前記誤差成分検出部２２の出力側には誤差成分制御部４２が結合され、この誤差成分制御部４２の出力側には、ｍライン遅延部２４、第１係数器２６が順次結合されるとともに、ｎドット遅延部２８、第２係数器３０が順次結合され、前記第１、第２係数器２６、２８の出力側には前記垂直方向加算部１６、水平方向加算部１８か結合されている。
【００３５】
４６は処理選択信号の切り換えを検出する処理選択検出部で、この処理選択検出部４６で検出された検出信号は、制御信号として前記誤差成分制御部４２に供給されている。前記誤差成分制御部４２は、前記処理選択検出部４６の検出信号が有るときには、前記誤差成分検出部２２で検出された誤差成分に無関係な一定値（例えば「０」、「１」又は「２」）を出力し、前記処理選択検出部４６の検出信号が無いときには、前記誤差成分検出部２２で検出された誤差成分を出力するように構成されている。
【００３６】
つぎに、図６の実施形態例の作用を図７を併用して説明する。
画面Ａ、Ｂ、Ｃ、Ｄ用の映像信号ａ、ｂ、ｃ、ｄは合成回路１０ａで合成され、この合成信号は入力端子１２を介して誤差拡散回路４０ａへ入力する。この誤差拡散回路４０ａは、垂直方向加算部１６及び水平方向加算部１８によって、入力端子１２に入力した合成信号に過去に生じた誤差成分を組み入れて出力端子２０から映像信号を出力し、この映像信号がビット変換回路（ビット数を減らす処理をする回路、図示省略）を経、選択回路３６を介してＰＤＰへ出力する。選択回路３６は、供給される２ビットの処理選択信号「１０」、「１１」、「０１」、「００」に基づいて、入力映像信号ａ、ｂ、ｃ、ｄのそれぞれに対して回路４０ａ、４０ａ、３４、３２の使用を選択する。このため、ＰＤＰは図７に示すような１画面の中に画面Ａ（例えば誤差拡散処理された動画）、画面Ｂ（例えば誤差拡散処理された静止画）、画面Ｃ（組織的ディザ処理画面）、画面Ｄ（スルー画面）の４画面を表示する。
【００３７】
誤差成分検出部２２は、水平方向加算部１８の出力側に得られた拡散出力信号から誤差成分を検出し、誤差成分制御部４２へ出力する。
処理選択検出部４６は、処理選択信号「１０」と「１１」の切り換えを検出し、この検出信号を制御信号として誤差成分制御部４２へ出力する。
このため、誤差成分制御部４２は、処理選択検出部４６からの検出信号が有るときには、誤差成分検出部２２から出力する誤差成分に関係ない「０」を誤差成分として出力し、検出信号が無いときには誤差成分検出部２２から出力する誤差成分をそのまま出力する。
【００３８】
誤差成分制御部４２から出力する誤差成分は、ｍライン遅延部２４によってｍライン分遅延し、第１係数器２６で係数Ｋ１（例えば１／２）倍して垂直方向加算部１６に入力し、ｎドット遅延部２８によってｎドット分遅延し、第２係数器３０で係数Ｋ２（例えば１／２）倍して水平方向加算部１８に入力し、もって過去に生じた誤差成分が組み入れられる。
【００３９】
上述のように、処理選択検出部４６が処理選択信号「１０」と「１１」の切り換えを検出すると、誤差成分制御部４２が誤差成分検出部２２から出力する誤差成分に関係ない「０」を誤差成分として、遅延部２４、２８及び第１、第２係数器２６、３０を介して加算部１６、１８に出力（帰還）するので、図７に示すように画面Ａと画面Ｂの境界の領域（ホ）で誤差成分が「０」となり、画面Ａ、Ｂの誤差拡散処理による誤差成分が他方の画面Ｂ、Ａに伝搬するのを防止できる。
【００４０】
前記実施形態例では、擬似中間調処理を行わずにそのまま通すスルー回路と、組織的ディザ法による擬似中間調処理を行う中間調表示回路と、誤差拡散法による擬似中間調処理を行う誤差拡散回路との３つの回路を選択回路の入力側に結合し、選択回路の出力側から１つのスルー画面と、３つの擬似中間調画面（１つの組織的ディザ法による擬似中間調画面と２つの誤差拡散法による擬似中間調画面）とを表示するための映像信号を得るようにした複数画面表示装置について説明したが、本発明はこれに限るものでなく、複数画面用の入力映像信号に擬似中間調処理を行う複数の中間調表示回路（誤差拡散回路を含む）を選択回路の入力側に結合し、この選択回路の出力側から、誤差拡散法による少なくとも２つの擬似中間調画面を含む複数の擬似中間調画面を表示するための映像信号を得るようにした複数画面表示装置について利用することができる。
【００４１】
前記実施形態例では、誤差成分制御部は、処理選択検出部の検出信号が有るときに、誤差成分検出部で検出した誤差成分の値に関係の無い「０」を誤差成分とし、この「０」を遅延部を介して加算部へ出力するようにしたが、本発明はこれに限るものでなく、処理選択検出部の検出信号が有るときに、誤差成分検出部で検出した誤差成分に無関係な一定値（例えば「１」又は「２」）を遅延部を介して加算部へ出力するものであればよい。
【００４２】
前記実施形態例では、出力対象画素にその周辺画素の多値化誤差を加重して加え、入力映像信号と発光輝度の濃淡誤差をより少なくするために、加算部を垂直方向加算部と水平方向加算部で構成し、遅延部をｍライン遅延部とｎドット遅延部で構成したが、本発明はこれに限るものではない。
例えば、加算部を垂直方向加算部と水平方向加算部の一方で構成し、遅延部を対応したｍライン遅延部とｎドット遅延部の一方で構成してもよい。この場合第１、第２係数器を省略できる。
又は、加算部を斜め方向加算部、垂直方向加算部及び水平方向加算部で構成し、遅延部をｐライン・ｑドット遅延部、ｍライン遅延部及びｎドット遅延部で構成してもよい。この場合、係数器として対応する第１、第２、第３係数器が必要となる。
【００４３】
前記実施形態例では、表示装置がＰＤＰの場合について説明したが、本発明はこれに限るものでなく、ディジタルディスプレイパネル（例えば液晶ディスプレイパネル）の場合についても利用することができる。
【００４４】
【発明の効果】
請求項１に係る発明は、表示装置で複数の誤差拡散処理による擬似中間調画面を表示せしめる誤差拡散回路において、複数画面用の入力映像信号に過去に生じた誤差成分を組み入れて拡散出力信号を得る加算部と、この拡散出力信号から誤差成分を検出する誤差成分検出部と、複数の擬似中間調画面の各画面を切り換えるための画面切換信号を検出する画面切換検出部と、この画面切換検出部の画面切換信号が有るときには誤差成分検出部で検出した誤差成分に無関係な一定値（例えば「０」）を出力し、画面切換信号が無いときには誤差成分検出部で検出した誤差成分を出力する誤差成分制御部と、この誤差成分制御部の出力信号を遅延させ過去に生じた誤差成分として前記加算部へ出力する遅延部とを具備してなることを特徴とする。
【００４５】
このため、拡散出力信号を表示装置（例えばＰＤＰ）へ出力することによって誤差拡散処理による複数の擬似中間調画面を表示した場合、各画面間の境界では入力映像信号に組み入れられる誤差成分が一定値（例えば「０」）となり、ある画面の誤差拡散処理で発生した誤差成分の影響が、他の画面に伝搬することがない。また、各画面間の境界以外の領域では、入力映像信号に組み入れられる誤差成分が誤差成分検出部で検出した誤差成分となって誤差拡散処理が行われる。
したがって、複数画面表示装置で表示された複数画面のそれぞれは、お互いの誤差成分の影響を受けずに誤差拡散法による擬似中間調表示ができ、画質の向上を図ることができる。
さらに、画面切換検出部で検出する画面切換信号は、例えば、複数種類（例えば複数チャンネル）の入力映像信号を合成して複数画面用の入力映像信号を作成する合成回路から容易に抜き出すことができるため、画面切換の行われた箇所を容易に検出できる。
【００４７】
請求項２の誤差拡散回路に係る発明は、選択回路の入力側に複数の中間調表示回路を結合し、複数画面用の入力映像信号のそれぞれに複数の中間調表示回路のいずれを使用するかを選択する処理選択信号を選択回路に供給することによって、選択回路の出力側から複数の擬似中間調画面を表示するための映像信号を得るようにした複数画面表示装置において、複数の中間調表示回路は誤差拡散回路を含み、処理選択信号は入力映像信号のうちの２以上の入力映像信号に誤差拡散回路の使用を選択するための処理選択信号を含み、誤差拡散回路は、加算部と、誤差成分検出部と、誤差拡散回路使用選択用の処理選択信号の切り換えを検出する処理選択検出部と、この処理選択検出部の検出出力が有るときには誤差成分検出部の誤差成分に無関係な一定値を出力し、検出出力が無いときには誤差成分検出部の誤差成分を出力する誤差成分制御部と、この誤差成分制御部の出力信号を遅延して加算部へ出力する遅延部とを具備してなることを特徴とする。
【００４８】
このため、複数画面表示装置（例えばＰＤＰ）が２以上の誤差拡散処理画面を含む複数の擬似中間調表示画面を表示した場合、２以上の誤差拡散処理画面において、各画面間の境界では入力映像信号に組み入れられる誤差成分が一定値（例えば「０」）となり、ある画面の誤差拡散処理で発生した誤差成分の影響が、他の画面に伝搬することがない。また、各画面間の境界以外の領域では、入力映像信号に組み入れられる誤差成分が誤差成分検出部で検出した誤差成分となって誤差拡散処理が行われる。
したがって、複数画面表示装置で表示された２以上の誤差拡散処理画面のそれぞれは、お互いの誤差成分の影響を受けずに誤差拡散方法による擬似中間調表示ができ、画質の向上を図ることができる。
【００４９】
請求項３に係る発明は、請求項１又は２の発明において、加算部が垂直方向加算部と水平方向加算部からなり、遅延部が、誤差成分制御部の出力信号をｍ（ｍは正の整数）ライン分遅延させるｍライン遅延部と、誤差成分制御部の出力信号をｎ（ｎは正の整数）ドット分遅延させるｎドット遅延部とからなり、ｍライン遅延部の出力に係数Ｋ１（１以下の定数）を掛けて垂直方向加算部へ出力する第１係数器と、ｎドット遅延部の出力に係数Ｋ２（Ｋ１＋Ｋ２＝１）を掛けて水平方向加算部へ出力する第２係数器とを具備してなるので、出力対象画素にその周辺画素の多値化誤差を加重して加え、入力映像信号と発光輝度の濃淡誤差をより少なくすることができる。
【図面の簡単な説明】
【図１】本発明による複数画面表示装置の誤差拡散回路の第１の実施形態例を示すブロック図である。
【図２】図１中の画面切換信号と画面切換検出信号の波形図である。
【図３】図１の回路の出力側に結合した表示装置で複数画面を表示した場合の表示例の説明図である。
【図４】図１の変形例を示すブロック図である。
【図５】図４の回路の出力側に結合した表示装置で複数画面を表示した場合の表示例の説明図である。
【図６】本発明による複数画面表示装置の誤差拡散回路の第２の実施形態例を示すブロック図である。
【図７】図６の回路の出力側に結合した表示装置で複数画面を表示した場合の表示例の説明図である。
【図８】従来例を示すブロック図である。
【図９】図８の回路の出力側に結合した表示装置で複数画面を表示した場合の表示例の説明図である。
【図１０】他の従来例を示すブロック図である。
【図１１】図１０の回路の出力側に結合した表示装置で複数画面を表示した場合の表示例の説明図である
【符号の説明】
１０、１０ａ、１０ｂ…合成回路、  １２…入力端子、  １４、１４ａ、４０、４０ａ…誤差拡散回路、  １６…垂直方向加算部、  １８…水平方向加算部、２０…出力端子、  ２２…誤差成分検出部、  ２４…ｍライン遅延部、  ２６…第１係数器、  ２８…ｎドット遅延部、  ３０…第２係数器、  ３２…スルー回路、  ３４…中間調表示回路（組織的ディザ法による擬似中間調処理を行う回路）、  ３６…選択回路、  ４２…誤差成分制御部、  ４４…画面切換検出部、４６…処理選択検出部、  ａ、ｂ、ｃ、ｄ…入力映像信号、  Ａ、Ｂ、Ｃ、Ｄ…表示画面、  （イ）、（ロ）、（ハ）、（ニ）、（ホ）…表示画面の境界領域。
【図１】
0003593799.tif 000002
【図２】
0003593799.tif 000003
【図３】
0003593799.tif 000004
【図４】
0003593799.tif 000005
【図５】
0003593799.tif 000006
【図６】
0003593799.tif 000007
【図７】
0003593799.tif 000008
【図８】
0003593799.tif 000009
【図９】
0003593799.tif 000010
【図１０】
0003593799.tif 000011
【図１１】
0003593799.tif 000012